(57)【要約】      （修正有）【課題】本来のドアストッパーとしての役割以外に物入としての役目も果たすとともに、玄関等によく置かれる靴ベラ、傘、及び杖等の長尺物を安定して支持させることができ、靴ベラ、傘、及び杖等の長尺物を玄関において適切に整理しうるドアストッパーを提供する。【解決手段】ドアを所望の開度に開けた状態に保持するドアストッパー１０であって、ドアストッパー本体１２の長さ方向の下側の端部の縁部に形成され、ドアの下端部と下側面との間に挟み込まれてドアを所望の開度に固定しうるストッパー部１４と、ストッパー部１４の上方に立設された長尺物収納部１５とを備え、長尺物収納部１５は、長さ方向の上端部から下方に向かって、長尺物の下端部が差し込まれた際に、安定して支持しうる大きさ及び深さの縦穴１６が設けられて形成されている。【選択図】図１
0003218674.tif 000002
【実用新案登録請求の範囲】
【請求項１】
ドアを所望の開度に開けた状態に保持するドアストッパーであって、
ドアストッパー本体の長さ方向の下側の端部の縁部に形成され、ドアの下端部と下側面との間に挟み込まれて前記ドアを所望の開度に固定しうるストッパー部と、前記ストッパー部の上方に立設された長尺物収納部とを備え、
前記長尺物収納部は、長さ方向の上端部から下方に向かって、長尺物の下端部が差し込まれた際に、安定して支持しうる大きさ及び深さの縦穴が設けられて形成されていることを特徴とするドアストッパー。
【請求項２】
前記ストッパー部は、前記ドアストッパー本体の下側の端部の縁部全周に形成されていることを特徴とする請求項１記載のドアストッパー。
【請求項３】
前記長尺物収納部は、筒状に形成されていることを特徴とする請求項１又は２に記載のドアストッパー。
【請求項４】
前記長尺物収納部の上端部には、上方に向かって拡径する案内部が前記縦穴の上端部と連通して設けられていることを特徴とする請求項３記載のドアストッパー。
【請求項５】
前記ドアストッパー本体の側面には、縁起の良い対象物の絵が描かれていることを特徴とする請求項１乃至４のいずれか１項に記載のドアストッパー。
【考案の詳細な説明】
【技術分野】
【０００１】
本考案は、ドアストッパーに係り、特に、物入としての役目も果たすドアストッパーに関するものである。
【背景技術】
【０００２】
従来より、換気などのために、玄関等のドアを所望の開度に開けた状態に保持するため、ドアの下端部と下側面との間に挟み込んで使用する楔形のドアストッパーが多く使用されている。
【０００３】
このような従来の楔形のドアストッパー等は、使用して役割を果たしているとき以外は、何の役目も果たさず邪魔なものにすぎなかった。
【０００４】
一方で、特許文献１及び特許文献２には、本来のドアストッパーの役割以外に、物入の役目も果たすことができる技術も開示されている。
【０００５】
しかしながら、これら特許文献１及び特許文献２に開示された従来技術は、葉書や印鑑等の小さな物品を入れるのに適した構成となっており、玄関等によく置かれる靴ベラ、傘、及び杖等の長尺物を安定して支持することができるものではなかった。
【０００６】
また、靴ベラ、傘、及び杖等は、所定の長さ寸法を有することから、玄関において適切に整理して配置しておくことが困難な場合もあった。
【先行技術文献】
【特許文献】
【０００７】
【特許文献１】特開平９−２７３３４６号公報
【特許文献２】特開平９−１３２９７９号公報
【考案の概要】
【考案が解決しようとする課題】
【０００８】
本考案は、以上のような従来の問題点を解消するためのものであって、その課題は、本来のドアストッパーとしての役割以外に物入としての役目も果たすとともに、玄関等によく置かれる靴ベラ、傘、及び杖等の長尺物を安定して支持させることができ、靴ベラ、傘、及び杖等の長尺物を玄関において適切に整理しうるドアストッパーを提供することにある。
【課題を解決するための手段】
【０００９】
前記課題を解決するために、請求項１記載の考案にあっては、ドアを所望の開度に開けた状態に保持するドアストッパーであって、ドアストッパー本体の長さ方向の下側の端部の縁部に形成され、ドアの下端部と下側面との間に挟み込まれて前記ドアを所望の開度に固定しうるストッパー部と、前記ストッパー部の上方に立設された長尺物収納部とを備え、前記長尺物収納部は、長さ方向の上端部から下方に向かって、長尺物の下端部が差し込まれた際に、安定して支持しうる大きさ及び深さの縦穴が設けられて形成されていることを特徴とする。
【００１０】
従って、請求項１記載の考案にあっては、前記ストッパー部により本来のドアストッパーとしての役割を果たすとともに、前記長尺物収納部により、玄関等によく置かれる靴ベラ、傘、及び杖等の長尺物を安定して支持させることができる。
【００１１】
請求項２記載の考案にあっては、前記ストッパー部は、前記ドアストッパー本体の下側の端部の縁部全周に形成されていることを特徴とする。
【００１２】
従って、請求項２記載の考案にあっては、前記ストッパー部を下側にした状態で３６０度いずれの方向においてもドアストッパーの役割を果たすことができる。
【００１３】
請求項３記載の考案にあっては、前記長尺物収納部は、筒状に形成されていることを特徴とする。
【００１４】
従って、請求項３記載の考案にあっては、前記長尺物収納部が筒状なので、前記ストッパー部を下側にした状態で３６０度いずれの方向においてドアストッパーとして使用しても、前記長尺物収納部とドアの表面との間に邪魔になる事態がない。
【００１５】
請求項４記載の考案にあっては、前記長尺物収納部の上端部には、上方に向かって拡径する案内部が前記縦穴の上端部と連通して設けられていることを特徴とする。
【００１６】
従って、請求項４記載の考案にあっては、靴ベラ、傘、及び杖等の長尺物を前記長尺物収納部の前記縦穴内に収納しようとする際、前記長尺物の先端部が、前記案内部により案内され、スムーズに前記縦穴内に収納することができる。
【００１７】
請求項５記載の考案にあっては、前記ドアストッパー本体の側面には、縁起の良い対象物の絵が描かれていることを特徴とする。
【００１８】
従って、請求項５記載の考案にあっては、前記ドアストッパー本体は、縁起の良い対象物の絵で装飾される。
【考案の効果】
【００１９】
請求項１記載のドアストッパーにあっては、前記ストッパー部により本来のドアストッパーとしての役割を果たすとともに、前記長尺物収納部により、玄関等によく置かれる靴ベラ、傘、及び杖等の長尺物を安定して支持させることができるので、靴ベラ、傘、及び杖等の長尺物を玄関において適切に整理しうるドアストッパーを提供することができる。
【００２０】
請求項２記載のドアストッパーにあっては、前記ストッパー部を下側にした状態で３６０度いずれの方向においてもドアストッパーの役割を果たすことができるので、使い勝手が良い。
【００２１】
請求項３記載のドアストッパーにあっては、前記長尺物収納部が筒状なので、前記ストッパー部を下側にした状態で３６０度いずれの方向においてドアストッパーとして使用しても、前記長尺物収納部とドアの表面との間に邪魔になる事態がないため、本来のドアストッパーとして使用した際に、所望の開度に開けた状態に保持するドアの表面を殆ど傷付けることがない。
【００２２】
請求項４記載のドアストッパーにあっては、靴ベラ、傘、及び杖等の長尺物を前記長尺物収納部の前記縦穴内に収納しようとする際、前記長尺物の先端部が、前記案内部により案内され、スムーズに前記縦穴内に収納することができるので、前記長尺物の収納を容易に行うことができる。
【００２３】
請求項５記載のドアストッパーにあっては、前記ドアストッパー本体は、縁起の良い対象物の絵で装飾されるので、このドアストッパー自体も、縁起物としての置物となる。
【図面の簡単な説明】
【００２４】
【図１】図１は、本考案に係るドアストッパーの一実施形態を示す斜視図である。
【図２】図２は、本考案に係るドアストッパーの一実施形態において、ドアを所望の開度に開けた状態を示す説明図である。
【図３】図３は、本考案に係るドアストッパーの一実施形態において、靴ベラを収納した状態を示す説明図である。
【図４】図４は、本考案に係るドアストッパーの一実施形態において、傘を収納した状態を示す説明図である。
【図５】図５は、本考案に係るドアストッパーの一実施形態において、杖を収納した状態を示す説明図である。
【考案を実施するための形態】
【００２５】
以下、本考案に係るドアストッパーを、一実施形態に基づき、図面を参照して説明する。
【００２６】
先ず、一実施形態の構成について説明する。
図１〜図５は、本考案に係る一実施形態のドアストッパー１０を説明するための図である。
【００２７】
この一実施形態のドアストッパー１０は、図１〜図５に示すように、ドア１１を所望の開度に開けた状態に保持するドアストッパーである。
【００２８】
そして、ドアストッパー本体１２の長さ方向の下側の端部の縁部に形成され、ドア１１の下端部１１ａと下側面１３との間に挟み込まれてドア１１を所望の開度に固定しうるストッパー部１４と、ストッパー部１４の上方に立設された長尺物収納部１５とを備えている。
【００２９】
そのうえで、長尺物収納部１５は、長さ方向の上端部から下方に向かって、図３〜図５に示した靴ベラ１７、傘１８、及び杖１９等の長尺物の下端部が差し込まれた際に、安定して支持しうる大きさ及び深さの縦穴１６が設けられて形成されている。
【００３０】
また、ストッパー部１４は、図１及び図２に示すように、全体リング状であって、周縁部はテーパー状に形成されており、ドアストッパー本体１２の下側の端部の縁部全周に形成されている。
【００３１】
さらに、長尺物収納部１５は、円筒状に形成されているとともに、内部の縦穴１６も円筒状に形成されている。
【００３２】
また、長尺物収納部１５の上端部には、図１に示すように、上方に向かって拡径するテーパー状の案内部２０が縦穴１６の上端部と連通して設けられている。
【００３３】
さらに、ドアストッパー本体１２の側面には、縁起の良い対象物として、カエルの絵２１が描かれている。
【００３４】
次に、一実施形態の作用効果について説明する。
【００３５】
この本考案の一実施形態のドアストッパー１０によれば、図１〜図５に示すように、上記した構成なので、ストッパー部１４により本来のドアストッパーとしての役割を果たすとともに、長尺物収納部１５により、玄関等によく置かれる靴ベラ１７、傘１８、及び杖１９等の長尺物を安定して支持させることができるので、靴ベラ１７、傘１８、及び杖１８等の長尺物を玄関において適切に整理しうるドアストッパーを提供することができる。
【００３６】
また、ストッパー部１４を下側にした状態で３６０度いずれの方向においてもドアストッパーの役割を果たすことができるので、使い勝手が良い。
【００３７】
さらに、長尺物収納部１５が円筒状なので、ストッパー部１４を下側にした状態で３６０度いずれの方向においてドアストッパーとして使用しても、長尺物収納部１５とドア１１の表面との間に邪魔になる事態がないため、本来のドアストッパーとして使用した際に、所望の開度に開けた状態に保持するドア１１の表面を殆ど傷付けることがない。
【００３８】
また、靴ベラ１７、傘１８、及び杖１９等の長尺物を長尺物収納部１５の縦穴１６内に収納しようとする際、靴ベラ１７、傘１８、及び杖１９等の長尺物の先端部が、案内部２０により案内され、スムーズに縦穴１６内に収納することができるので、靴ベラ１７、傘１８、及び杖１９等の長尺物の収納を容易に行うことができる。
【００３９】
さらに、ドアストッパー本体１２は、縁起の良い対象物であるカエルの絵２１で装飾されるので、このドアストッパー１０自体も、縁起物としての置物となる。
【００４０】
ここで、カエルは、一説では、人やお金や物等が還ることにかけて、縁起の良い対象物とされている。
【００４１】
以上、本考案に係るドアストッパーの一実施形態について図面を参照して詳述してきたが、具体的な構成は、この一実施形態に限らず、本考案の要旨を逸脱しない程度の設計的変更は、本考案に含まれる。
【００４２】
例えば、上記した一実施形態では、ドアストッパー１０のドアストッパー本体１２の側面に描かれる縁起の良い対象物の絵をカエルの絵２１としたが、これに限定されず、長寿の象徴や金運上昇の運気となると言われるカメ等の絵を描いて実施してもよい。
【００４３】
さらに、上記した一実施形態では、ドアストッパー１０の長尺物収納部１５に収納する長尺物として、靴ベラ１７、傘１８、及び杖１９のみを示したが、これに限定されず、例えば、用心のために、木刀等を収納してもよい。
【産業上の利用可能性】
【００４４】
本考案に係るドアストッパーは、多くの人々が購入し、使用することができるので、産業上の利用可能性を有している。
【符号の説明】
【００４５】
１０    ドアストッパー
１１    ドア
１１ａ  ドアの下端部
１２    ドアストッパー本体
１３    ドアの下側面
１４    ストッパー部
１５    長尺物収納部
１６    縦穴
１７    靴ベラ（長尺物）
１８    傘（長尺物）
１９    杖（長尺物）
２０    案内部
２１    カエルの絵（縁起の良い対象物の絵）
【図１】
0003218674.tif 000003
【図２】
0003218674.tif 000004
【図３】
0003218674.tif 000005
【図４】
0003218674.tif 000006
【図５】
0003218674.tif 000007